(57)【要約】本発明は。壁取付け形の家具(１)、特に壁取付け形のキャビネットを壁に固定するための取付具(２)に関する。壁取付け形の家具(１)は、少なくとも１つのベース(１２)を有する家具本体と、側壁(１１)と後壁(１３)を備える。取付具(２)は、壁に固定される第１の取付け部品(３、８)と、壁取付け形の家具(１)に固定される第２の取付け部品(４)と、第１の取付け部品(３)と第２の取付け部品(４)とを相互接続する長さ調節可能な駆動ユニット(５)を備える。第１の取付け部品(３)と前記後壁(１３)との間、又は第１の取付け部品(３)と壁取付け形の家具(１)の後方領域に向けて配置された接触面との間に支持要素(７)が配置される。本発明は更に壁取付け形の家具に関する。【選択図】  図２
2021526876.tif 000002
【特許請求の範囲】
【請求項１】
壁取付け形の家具(１)、特に壁取付け形のキャビネットを壁に固定するための取付具(２)であって、
壁取付け形の家具(１)は、少なくとも１つのベース(１２)を有する家具本体と、側壁(１１)と後壁(１３)を備え、
取付具(２)は、壁に固定される第１の取付け部品(３、８)と、壁取付け形の家具(１)に固定される第２の取付け部品(４)と、第１の取付け部品(３)と第２の取付け部品(４)とを相互接続する長さ調節可能な駆動ユニット(５)を備えた、取付具(２)において、
前記第１の取付け部品(３)と前記後壁(１３)との間、又は第１の取付け部品(３)と壁取付け形の家具(１)の後方領域に向けて配置された壁取付け形の家具(１)の接触面との間に支持要素(７)が配置された、取付具(２)。
【請求項２】
前記支持要素(７)は、スライド要素又は転動要素、特に転動要素として構成される、請求項１に記載の取付具(２)
【請求項３】
前記支持要素(７)は、第１の取付け部品(３)又は壁取付け形の家具(１)の後方領域に、壁に直交して支持方向(ｘ)に調整可能に配置された、請求項１又は２に記載の取付具(２)。
【請求項４】
前記支持要素(７)は、第１の取付け部品(３)に固定される、請求項１乃至３の何れかに記載の取付具(２)。
【請求項５】
前記第１の取付け部品(３)は、壁に固定される第１の側壁(３５)と、第１の側壁に直交して延び前記支持要素(７)が配置される第２の側壁(３２)とを有する、請求項４に記載の取付具(２)。
【請求項６】
前記支持要素(７)が取り付けられるスライドホルダ(３３)が、第２の側壁(３２)に取り付けられる、請求項５に記載の取付具(２)。
【請求項７】
前記支持要素(７)は、壁取付け形の家具の後方領域に向けて配置された壁取付け形の家具(１)の後壁(１３)又は接触面に取り付けられる、請求項１乃至３の何れかに記載の取付具(２)。
【請求項８】
前記支持要素(７)は、後壁(１３)又は壁取付け形の家具の後方領域に向けて配置された接触面に取り付けられた保持要素(９)内に収納される、請求項７に記載の取付具(２)。
【請求項９】
前記保持要素(９)は、前記支持要素(７)を可変に位置決めするため調整ユニットを有する、請求項８に記載の取付具(２)。
【請求項１０】
前記駆動ユニット(５)は、電気機械式リフティング柱として構成される、請求項１乃至９の何れかに記載の取付具(２)。
【請求項１１】
前記駆動ユニット(５)が、エネルギ蓄積装置(５１)と、ラッチ取付具(５２)として構成されたラッチ又はロックユニットとを備える、請求項１乃至９の何れかに記載の取付具(２)。
【請求項１２】
壁取付け形の家具ユニット、特に壁取付け形のキャビネットであって、少なくとも１つのベース(１２)を有する家具本体と、少なくとも１つの側壁(１１)と後壁(１３)を備え、
ベース(１２)又は少なくとも１つの側壁(１１)に、壁取付け形の家具ユニットを壁に固定するための取付具(２)が配備された、壁取付け形の家具ユニットにおいて、
少なくとも１つの取付具(２)は、請求項１乃至１１の何れかに従って構成された、壁取付け形の家具ユニット。
【発明の詳細な説明】
【技術分野】
【０００１】
本発明は、請求項1の前文に記載の壁取付け形の家具を壁に固定するための取付具及び壁取付け形家具に関する。
【背景技術】
【０００２】
壁取付け形キャビネット又は壁ユニットのような壁取付け形の家具を壁に取り付けるためにも使用されるこのような取付具は、通常、家具側で家具の後部に固定され、フック又は吊り下げレールを使用して壁から取り外し可能である。
壁取付け形の家具の取付け高さを使用者に適した高さに可変的に調節できるようにするために、調節可能な取付具が例えばドイツ公開公報10 2016 122 044 A1から公知であり、これは、第１の取付け部品が壁に固定され、第２の取付け部品が壁取付け形の家具に固定され、該２つの取付け部品が長さ調節可能な駆動ユニットを介して互いに接続されている。
このような取付具は、実際にはそれ自体が実証されている。
【０００３】
問題となることが見出された１つの問題は、壁取付け形の家具の高さ調整中に、壁取付け形の家具と壁との望ましくない接触が生じ、壁及び/又は壁取付け形の家具に損傷をもたらす可能性があることである。
本発明の目的は、壁及び/又は壁取付け形の家具への損傷を防止する壁取付け形の家具を固定するための取付具、並びに壁取付け形家具を提供することである。
【発明の概要】
【課題を解決するための手段】
【０００４】
この目的は、請求項１の特徴を有する壁取付け形の家具を壁に固定するための取付具と、請求項１２の特徴を有する壁取付け形家具によって解決される。
【０００５】
本発明による壁取付け形の家具、特に壁取付け形のキャビネットを壁に固定するための取付具であって、
壁取付け形の家具は、少なくとも１つのベースを有する家具本体と、側壁と後壁を備え、
取付具は、壁に固定される第１の取付け部品と、壁取付け形の家具に固定される第２の取付け部品と、第１の取付け部品と第２の取付け部品とを相互接続する長さ調節可能な駆動ユニットを備えている。
【０００６】
第１の取付け部品と後壁との間、又は第１の取付け部品と壁取付け形の家具の後方領域に向けて配置された壁取付け形の家具の接触面との間に支持要素が配置されている。
そのような支持要素を、壁取付け形の家具の後部と第１の取付け部品との間に配置することにより、壁取付け形の家具を垂直方向に移動させて壁取付け形の家具の高さを調整する際に、壁取付け形の家具の後部との接触を効果的に防止する。
【０００７】
本発明の有利な実施形態の変形例は、従属項の主題事項である。
有利な実施形態の変形例によれば、支持要素は、スライド要素又は転動要素として、特に転動要素として構成される。
これにより、壁取付け形の家具の低摩擦移動が可能になり、その高さを調節することができる。
【０００８】
他の有利な実施形態の変形例によれば、支持要素は、第１の取付け部品又は後壁に、壁に直交して支持方向に調整可能に配置されている。
支持要素の支持方向の調整が可能なため、高さ調整後の壁ユニットの傾き調整が可能である。
好ましい第１の実施形態の変形例に従って、支持要素は第１の取付け部品に取り付けられる。
【０００９】
第１の取付け部品は、壁に固定される第１の側壁と、第１の側壁に直交して延び支持要素が配置される第２の側壁とを有するのが特に好ましい。
この第２の側壁上にて、支持要素が取り付けられるスライドホルダがスライド可能に取り付けられるのが好ましい。
これにより、支持方向に調整可能な支持要素の簡単な配置が可能になる。
【００１０】
他の実施形態の変形例によれば、支持要素は、壁取付け形の家具の後壁に取り付けられ、従って第１の取付け部品に対向している。
支持要素は、後壁に取り付けられた保持要素内に収納されるのが好ましい。
この保持要素は、支持要素を支持方向に可変に位置決めするため調整ユニットを有するのが好ましい。
【００１１】
他の好ましい実施形態の変形例によれば、駆動ユニットは電気機械式リフティング柱として構成され、該駆動ユニットを用いて壁取付け形の家具の高さが容易に調整され得る。
代替の実施形態に従って、エネルギ蓄積装置と、ラッチ取付具として構成されたラッチ又はロックユニットとを備える駆動ユニットを配備することも考えられる。
【００１２】
これにより、壁取付け形の家具の簡単で機械的に操作できる高さ調整が可能になる。
本発明による壁取付け形の家具は、上記の少なくとも１つの取付具を特徴とする。
【図面の簡単な説明】
【００１３】
以下では、本発明の例示的な実施形態が、添付の図面を使用してより詳細に説明される。
【図１】２つの取付具が取り付けられた壁取付け形の家具の実施形態の変形例の斜視図である。
【図２】図１の壁取付け形の家具の側壁と該側壁に取り付けられた取付具の斜視図であり、駆動ユニットを省略している。
【図３】スライドホルダが取り付けられた第１の取付け部品の一部の詳細な斜視図である。
【図４】スライドホルダが異なる位置にある第１の取付け部品の側面図である。
【図５】スライドホルダが異なる位置にある第１の取付け部品の側面図である。
【図６】壁取付け形の家具に取り付けられた取付具の代替の実施形態の斜視図である。
【図７】壁取付け形の家具の側壁と後壁に配置された、図６に示す取付具の取付要素の詳細な斜視図である。
【図８】図７に対応する斜視図であり、代替で構成された駆動ユニットを備えている。
【図９】図７に対応する斜視図であり、代替で構成された駆動ユニットを備えている。
【図１０】図６による実施形態の変形例の第１の取付け部品の正面図であり、壁保護要素が取り付けられている。
【図１１】図１０による第２の取付け部品上に第１の取付け部品を吊り下げた状態の詳細な部分的拡大図である。
【図１２】壁保護要素に対して位置し、壁取付け形の家具の後壁に取り付けられた支持要素の斜視図である。
【図１３】壁保護要素に対して位置し、壁取付け形の家具の後壁に取り付けられた支持要素の斜視図である。
【図１４】図１２及び図１３に示す支持要素の分解斜視図である。
【発明を実施するための形態】
【００１４】
以下の図面の記載では、上部、底部、左、右、前部、後部などの用語は、夫々の図面で選択された壁取付け形の家具、取付具、支持要素、取付け部品、駆動ユニットなどの例示的な表現および位置のみを指す。これらの用語は、限定的な方法で理解されるべきではなく、即ちこれらの参照は、異なる作業位置又は鏡面対称設計又は同様のものによって変化し得る。
【００１５】
図１及び図６にて、符号１は壁取付け形の家具の全体を指定する。壁取付け形の家具１は、特に、取付具２の助けを借りて壁に取り付けられる壁取付け形のキャビネットとして構成することができる。
壁取付け形の家具１は、少なくとも１つのベース１２と、少なくとも１つの側壁１１とを有する家具本体を有し、壁取付け形の家具１は、ここでは壁に取り付けられるキャビネットとして構成され、２つの側壁１１と少なくとも１つの後壁１３とを有する。
【００１６】
図示の全ての例示的な実施形態において、取付具２は、壁に取り付けることができる第１の取付け部品３、８、壁取付け形の家具１に取り付けることができる第２の取付け部品４及び長さ調節可能な駆動ユニット５を有し、該駆動ユニット５によって、第１の取付け部品３、８及び第２の取付け部品４が相互接続され、壁取付け形の家具１を壁上の所望の垂直位置に調節することができる。
壁取付け形の家具１は、壁に取り付けられるキャビネット又は壁ユニットとして、特に生活又は調理領域のために構成することができる。また、このような壁取付け形の家具１を、生活、料理又は衛生の領域において、ベースキャビネットとして設計することも考えられる。
【００１７】
壁取付け形の家具１の高さ位置決めを実行するときに壁取付け形の家具１の壁又は後側への損傷を回避するために、支持要素７が、第１の取付け部品３と壁取付け形の家具１の後壁１３との間に配置される。
この支持要素７は、好ましくは転動要素、特にローラとして構成される。また、支持要素７をスライド要素や円筒状の転動要素等として構成することも考えられる。
【００１８】
取付具２を使用して壁取付け形の家具１の高さを調整する場合、壁取付け形の家具１が支持要素７を使用して、できるだけ低い摩擦を以って変位することができることが重要である。
図１乃至図５に基づいて、そのような取付具２の第１の実施形態の変形例は以下に説明されて、ここで、支持要素７は、第１の取付け部品３上に、壁に直交して支持方向ｘに調整可能に配置されている。
ここに示される実施形態の変形例における駆動ユニット５は、特に電気機械式リフティング柱として、リフティング柱駆動として構成される。
このような駆動ユニット５を別の方法で、例えば、一例として図８に示すように、ラッチ取付具５２として構成されたラッチ又はロックユニットと組み合わせたエネルギ蓄積装置５１の形態で構成することも考えられる。
【００１９】
図２及び図３に示すように、第１の取付け部品３は、壁に取り付けることができる第１の側壁３５と、第１の側壁３５に対してある角度で配置され、特に第１の側壁３５に対して垂直に延在し、その上に支持要素７が配置される第２の側壁３２とを有する。
支持要素７は、第２の側壁３２に直接取り付けることができる。ここに示す実施形態の変形例では、支持要素７はスライドホルダ３３に取り付けられており、ここで、スライドホルダ３３は、第２の側壁３２に摺動可能に固定されている。
【００２０】
スライドホルダ３３は、ここでは、第２の側壁３２の水平方向に延びる部分に押し付けられる金属シートの形態で構成されている。スライドホルダ３３は、固定要素３４が挿入される水平方向に延びるスロット３３１を有し、固定要素３４でスライドホルダ３３を締め付けて固定できる。
ここで、固定要素３４は、締め付けたときにスライドホルダ３３を第２の側壁３２に締結するねじの形態で構成されている。
支持要素７の正確な位置決めを容易にするために、目盛り３３２がスライドホルダ３３に付けられる。
【００２１】
ここに示す実施形態の変形例では、支持要素７は、スライドホルダ３３にしっかりと取り付けられた支持ローラとして構成されている。支持ローラは、第１の側壁３５に水平且つ平行に整列された軸を介して回転させることができ、これにより、壁取付け形の家具１が垂直に動かされたときに支持要素７が壁取付け形の家具１の後壁１３に沿って転動することができる。
第１の側壁３５は、第１の取付け部品３を壁(図示せず)に固定するための多数の孔及び/又は長穴を有する。
【００２２】
また、第１の取付け部品３は、第１の側壁３５に対して垂直に折り曲げられたベース３１を有し、ここでは電気機械式リフティング柱として構成された駆動ユニット５はベース３１上でセットアップされ、固定されることができ、溶接ラグ３６によって第２の側壁３２に追加的に支持される。
第１の取付け部品３はその上端において、ベース３１に対して平行に整列されたガイド部３７を有し、ガイド部３７は駆動ユニット５の上端が通過する中央凹部を有する。
電気機械式リフティング柱として構成された駆動ユニット５の場合、、第２の取付け部品４には、外柱に対して移動可能な内柱が連結されており、第２の取付け部品は、好ましくは壁取付け形の家具１の天井に固定された水平に整列したプレートを有し、リフティング柱が延びることにより、それに応じて壁取付け形の家具１が上昇される。
【００２３】
図２に示す実施形態の変形例にて、第２の取付け部品４は、側壁１１に追加的に取り付けられ、この場合、吊下げ要素２２６を介して、側壁１１に取り付けられた壁取付け形の家具１のカウンタプレート１４に取り付けられる。カウンタプレート１４は、側壁１１を安定させ、壁取付け形の家具１の短くなった後壁１３を固定する役割を果たす。
支持要素7の支持方向ｘにおける設定を図示するために、図４及び図５は、第１の取付け部品３の第２の側壁３２上のスライドホルダ３３の２つの異なる位置を示す。スライドホルダ３３を図４に示す位置から図５に示す位置に移動させることにより、壁取付け形の家具１の傾き傾向を調整することができる。
【００２４】
また、この支持要素７の調整可能性を使用して、異なる厚さ又は可変位置の壁取付け形の家具１の後壁に取付具２を適合させることも考えられる。
図６乃至図１４は、本発明による取付具２の更なる実施形態の変形例を説明するために使用される。
図１乃至図５に記載した実施形態の変形例とは対照的に、図６乃至図１４に示す実施形態の変形例では、支持要素７は、壁取付け形の家具１の後壁１３、この場合は高さが大幅に短くなった後壁に取り付けられており、壁取付け形の家具１が垂直方向に移動するときに、第１の取付け部品８に接触する。
【００２５】
図６に示す実施形態の変形例にて、駆動ユニット５は、図１乃至図５に示す変形例と同様に、電気機械式リフティング柱として構成される。図２及び図３に示す実施形態の変形例とは対照的に、第１の取付け部品３は、ここでは、壁に沿って駆動ユニット５を収容する駆動取付部８２の側まで延びる壁保護要素８１を備えるように構成される。
壁保護要素８１は、駆動取付部８２と一体に構成することができる。ここに示す実施形態の変形例では、壁保護要素８１は、連結要素８３を介して駆動取付部８２に連結されている。
【００２６】
支持要素７は、壁保護要素８１に対向する壁取付け形の家具１の後壁１３の側に壁取付け形の家具１の後壁１３に支持方向ｘに取り付けられる。あるいは、支持要素７は、リテーナを介してベース又は側壁の１つに固定され、壁ユニットの後方領域と整列させることもできる。
ここに示されている実施形態の変形例では、支持要素７は、図１４に詳細に示されている保持要素９に含まれている。
保持要素９は、支持要素７の支持方向xへの可変位置決めも可能にするので、支持要素７を保持要素９に収容することが有利である。
【００２７】
図１４に示すように、保持要素９は、本質的に、支持要素ホルダ９２が支持方向ｘに変位可能に収容されるベース本体９１からなる。
ベース本体９１内の支持要素ホルダ９２の調整は、ベース本体９１のねじ座９３内の調整ねじ９４によって行われ、この調整ねじは、支持要素ホルダ９２のナットホルダ９６内に支持方向ｘに強固に保持されているナット９５に係合するので、調整ねじ９４を回すことによって、ベース本体９１に対する支持要素ホルダ９２の変位が達成される。
【００２８】
支持要素７は、支持要素ホルダ９２内に収容され、ここでは、回転軸９７がローラとして構成された支持要素７の回転可能な取付けのために、支持要素ホルダ９２内に固定される。
壁取付け形の家具１を壁に掛けた後でも支持要素７を支持方向ｘに調整できるように、壁取付け形の家具１の前側から後壁１３の孔１５に調整ねじ９４用のツールホルダを挿入することができる。
【００２９】
図７に、リフティング柱として構成された駆動ユニット５を収容するための第１の取付け部品８の構成を示す。
この図から分かるように、第１の取付け部品８は、壁取付け形の家具１の側壁１１に取り付けられた第２の取付け部品４の側壁４１にリニアガイド２１を介して結合されている。
また、リニアガイド２１は、第１の取付け部品８が第２の取付け部品４に対して垂直方向ｚに互いに変位可能に形成されるように位置合わせされている。
【００３０】
更に、吊下げ要素２２が側壁１１に取り付けられ、この吊下げ要素は、第２の取付け部品４に引っ掛けることができるフックを備える。吊下げ要素２２は、壁取付け形の家具１を第２の取付け部品４に固定する役割を果たし、吊下げ要素２２が事前に取り付けられた状態で壁取付け形の家具１は、第２の取付け部品４に掛けられ、次いで、吊下げ要素２２に収容された調節ユニットの助けを借りて調節される。
図８は、第１の取付け部品８の代替的な実施形態の変形例を示し、ここではベース８７を有していない、何故ならこの場合、駆動ユニット５がラッチ取付具５２が結合されたエネルギ蓄積装置５１として構成され、ラッチ取付具５２が、壁取付け形の家具１の側壁１１に平行に整列され、リニアガイド２１を介して第２の取付け部品４に結合された第２の側壁８６に取り付けられているからである。
【００３１】
図９は、このような第１の取付け部品３の別の代替実施形態を示し、図６に示された変形と比較して開口しているスピンドル駆動変形例が駆動ユニット５として含まれている。
本実施形態の変形例では、第２の取付け部品４は、駆動結合板４２を有し、該駆動結合板４２は駆動ユニット５の上端で駆動ユニット５に結合されている。
第１の取付け部品８の第２の側壁８６も、ここではリニアガイドを介して第２の取付け部品４に結合されている。
【００３２】
このために、第１の取付け部品８の第２の側壁８６及び第２の取付け部品４の側壁４１には、図１０及び図１１にも示すように、長手方向の溝４３、８７が設けられ、該溝にて側壁４１、８６に反対方向に固定されたスライドブロック１６が案内される。
図１２及び図１３は、壁取付け形の家具１の垂直方向の位置に応じて、第１の取付け部品の壁保護要素８１の異なる垂直方向の位置に静止する、保持要素９に収容された支持要素７の位置を、個々の図として再度示す。
【符号の説明】
【００３３】
１      壁取付け形の家具
１１    側壁
１２    ベース
１３    後壁
１４    カウンタプレート
１５    孔
１６    スライドブロック
２      取付具
２１    リニアガイド
２２    吊下げ要素
３      第１の取付け部品
３１    ベース
３２    第２の側壁
３３    スライドホルダ
３３１  スロット
３３２  目盛り
３４    固定要素
３５    第１の側壁
３６    溶接ラグ
３７    ガイド部
４      第２の取付け部品
４１    側壁
４２    駆動結合板
４３    ガイド溝
５      駆動ユニット
５１    エネルギ蓄積装置
５２    ラッチ取付具
７      支持要素
８      第１の取付け部品
８１    壁保護要素
８２    駆動取付部
８３    連結要素
８５    第１の側壁
８６    第２の側壁
８７    ガイド溝
９      保持要素
９１    ベース本体
９２    支持要素ホルダ
９３    ねじ座
９４    調整ねじ
９５    ナット
９６    ナットホルダ
９７    軸
Ｘ      支持方向
Ｚ      垂直方向
【図１】
2021526876.tif 000003
【図２】
2021526876.tif 000004
【図３】
2021526876.tif 000005
【図４】
2021526876.tif 000006
【図５】
2021526876.tif 000007
【図６】
2021526876.tif 000008
【図７】
2021526876.tif 000009
【図８】
2021526876.tif 000010
【図９】
2021526876.tif 000011
【図１０】
2021526876.tif 000012
【図１１】
2021526876.tif 000013
【図１２】
2021526876.tif 000014
【図１３】
2021526876.tif 000015
【図１４】
2021526876.tif 000016
【国際調査報告】
2021526876.tif 000017
2021526876.tif 000018
2021526876.tif 000019
2021526876.tif 000020
2021526876.tif 000021